(57)【要約】【課題】ローリフトトラックのフォーク下面全体を簡便かつ効果的に洗浄することができる洗浄装置を提供すること。【解決手段】両端に噴射ノズルが立設されている複数の噴射管と；噴射管同士を連通状態で連結する連結管と；前記複数の噴射管を同一平面となるように支持する支持体と；前記支持体に固着されているハンドルと；前記噴射管又は連結管に設けられた洗浄液導入口と；を備えたローリフトトラックの２本のフォーク下面を洗浄する装置を用いると、ローリフトトラックのフォーク下面全体を２本同時に比較的簡単かつ効果的に洗浄することができるため、多大な労力を要することなくローリフトトラックのフォーク下面を清潔に保つことができる。【選択図】図１
2017000979.tif 000002
【特許請求の範囲】
【請求項１】
両端に噴射ノズルが立設されている複数の噴射管；
噴射管同士を連通状態で連結する連結管；
前記複数の噴射管を同一平面となるように支持する支持体；
前記支持体に固着されているハンドル；及び
前記噴射管又は連結管に設けられた洗浄液導入口；
を備えたことを特徴とするローリフトトラックのフォーク下面洗浄装置。
【請求項２】
複数の噴射管が、３〜８本の噴射管であることを特徴とする請求項１に記載のローリフトトラックのフォーク下面洗浄装置。
【発明の詳細な説明】
【技術分野】
【０００１】
本発明は、ローリフトトラックのフォーク下面洗浄装置に関する。
【背景技術】
【０００２】
ローリフトトラックは、工場や倉庫等で床面上に置かれている荷を比較的短い距離だけ移動させるのに用いられる簡易型の荷役車両である（特許文献１、２）。食品の製造現場においては、衛生管理の面から、ローリフトトラックの適切な洗浄や消毒が必要不可欠である。
【０００３】
従来、ローリフトトラックのフォーク下面を洗浄するに際しては、作業員がブラシや布巾等を用いて手作業で洗浄を行ってきた。しかしながら、かかる洗浄方法では、作業員の作業姿勢が不安定となり著しく作業性が悪化して確実な洗浄を期待し得ないとともに多大な労力と作業時間を要するという問題があった。
【先行技術文献】
【特許文献】
【０００４】
【特許文献１】特開２００８−１５６０６１号公報
【特許文献２】特開２００２−１４５５９７号公報
【発明の概要】
【発明が解決しようとする課題】
【０００５】
本発明の課題は、ローリフトトラックのフォーク下面全体を簡便かつ効果的に洗浄することができる洗浄装置を提供することにある。
【課題を解決するための手段】
【０００６】
本発明者らは、上記課題を解決すべく鋭意研究を続けた結果、両端に噴射ノズルが立設されている複数の噴射管と；噴射管同士を連通状態で連結する連結管と；前記複数の噴射管を同一平面となるように支持する支持体と；前記支持体に固着されているハンドルと；前記噴射管又は連結管に設けられた洗浄液導入口と；を備えたローリフトトラックの２本のフォーク下面（裏面）を洗浄する装置を用いると、ローリフトトラックのフォーク下面全体を２本同時に比較的簡単かつ効果的に洗浄することができることを見いだし、本発明を完成するに至った。
【０００７】
すなわち、本発明は以下のとおりである。
（１）両端に噴射ノズルが立設されている複数の噴射管；
噴射管同士を連通状態で連結する連結管；
前記複数の噴射管を同一平面となるように支持する支持体；
前記支持体に固着されているハンドル；及び
前記噴射管又は連結管に設けられた洗浄液導入口；
を備えたことを特徴とするローリフトトラックのフォーク下面洗浄装置（以下、単に「本発明の洗浄装置」ということがある。）。
（２）複数の噴射管が、３〜８本の噴射管であることを特徴とする上記（１）に記載のローリフトトラックのフォーク下面洗浄装置。
【発明の効果】
【０００８】
本発明によると、ローリフトトラックのフォーク下面全体を２本同時に比較的簡単かつ効果的に洗浄することができるため、多大な労力を要することなくローリフトトラックのフォーク下面を清潔に保つことができる。
【図面の簡単な説明】
【０００９】
【図１】図１Ａは本発明の洗浄装置の上部前方斜視図である。図１Ｂは本発明の洗浄装置の上部後方斜視図である。
【図２】図２Ａはローリフトトラックの斜視図である。図２Ｂは、図１Ａの本発明の洗浄装置を、図２Ａのローリフトトラックのフォーク下に配置したときの斜視図である。
【発明を実施するための形態】
【００１０】
本発明の洗浄装置としては、両端に噴射ノズルが立設されている複数の噴射管と；噴射管同士を連通状態で連結する連結管と；前記複数の噴射管を同一平面となるように支持する支持体と；前記支持体に固着されているハンドルと；前記噴射管又は連結管に設けられた洗浄液導入口と；を備えたローリフトトラックの２本のフォーク下面を洗浄する装置であれば特に制限されず、上記噴射管の数としては、少なくとも２本であればよく、フォークの長さにより必要となる噴射管の数が異なるため、一概に特定することはできないが、通常２〜１２本の範囲内であり、例えば、２〜１０本、２〜８本、２〜６本、３〜１２本、３〜１０本、３〜８本、３〜６本、４〜１２本、４〜１０本、４〜８本、４〜６本等であってもよいが、３〜８本が好ましい。
【００１１】
上記噴射管は、幅の広いフォーク下面をより効果的に洗浄するために、噴射管の両端よりも内側の位置に、さらに１又は複数の噴射ノズルが立設されているものであってもよい。また、上記複数の噴射管同士の幅は、不均一なものであってもよいが、略均一なものが好ましい。
【００１２】
上記噴射ノズルとしては、具体的に、シャワーノズル、ジェットノズル、スプレーノズル等を挙げることができ、フォーク下面の広い範囲を効果的に洗浄できるため、シャワーノズルが好ましい。
【００１３】
上記連結管としては、噴射管同士を連通状態で連結できるものであれば、材質や形状等は特に制限されず、かかる材質としては、可撓性が高いものであっても低いものであってもよいが、可撓性の高いもの（例えば、ゴム材）が好ましい。
【００１４】
上記支持体としては、複数の噴射管を同一平面となるように支持できるものであれば、材質や形状等は特に制限されず、かかる形状としては、中空管や下向きコの字形状のリブ部材を好適に挙げることができる。上記支持体と、噴射管とは、通常接着、溶接等の手段で固着されている。
【００１５】
上記ハンドルとしては、上記支持体に接着、溶接等の手段で固着され、本発明の洗浄装置を移動可能なものであれば、材質や形状等は特に制限されず、かかる形状としては、略円筒パイプ、略楕円筒パイプ、略三角形筒パイプ、略四角パイプ等からなるコの字形状、ヨの字形状、半円形状、三日月形状等を挙げることができる。なお、本発明の洗浄装置を移動させやすいように、支持体やハンドルに車輪が固着されていてもよい。
【００１６】
上記洗浄液導入口は、水；微酸性電解水（次亜塩素水）、過酸化水素水等の殺菌水；又は酸性、中性、若しくはアルカリ性の洗剤溶液；から選ばれる洗浄液を、洗浄液供給管（例えば、ホース）を介して供給するために設けられている。かかる洗浄液供給管は、洗浄液導入口に着脱可能に接続される。
【００１７】
上記殺菌水又は洗剤溶液で洗浄したローリフトトラックのフォーク下面は、通常すすぎ洗浄（水洗い）や、必要に応じて冷風（常温気体）又は熱風（加熱気体）による乾燥処理が行われる。このため、上記連結管、噴射管、及び／又は洗浄液供給管に、殺菌水又は洗剤溶液と水を供給するための切り替え用バルブや、必要に応じて、殺菌水若しくは洗剤溶液と冷風若しくは熱風、水と冷風若しくは熱風、又は殺菌水若しくは洗剤溶液と水と冷風若しくは熱風を供給するための切り替え用バルブが設けられていてもよく、その場合、操作性の観点から、噴射管、特に上記ハンドルに近い噴射管の位置に、切り替え用バルブが設けられていることが好ましい。
【００１８】
以下、本発明の実施の一形態を、図面を参照して説明する。また、以下の説明において、本発明の洗浄装置（７）の上部前方斜視図である図１Ａを基準として、図１Ａの前方ハンドル（５）側を前といい、その反対側を後、左右の側、上下方向を、それぞれ、左及び右、上及び下というものとする。
【００１９】
本発明の洗浄装置を図１により説明する。図１Ａ及びＢは、それぞれ本発明の洗浄装置（７）の上部前方斜視図及び上部後方斜視図である。本発明の洗浄装置（７）は、両端に噴射ノズル（１）が立設されている５本の噴射管（２）と；噴射管（２）同士を連通状態で連結する連結管（３）と；前記５本の噴射管（２）を同一平面となるように支持する支持体（４）と；前記支持体（４）に固着されているハンドル（５）と；前記噴射管（２）に設けられた洗浄液導入口（６）と；を備えている。
【００２０】
上記連結管（３）は、各噴射管（２）の後方側の一端同士を連結する。なお、連結管（３）は、各噴射管（２）の前方側の一端同士を連結したものであっても、或いは、一方の噴射管（２）の前方側の一端と、他方の噴射管（２）の後方側の一端とを連結したものであってもよい。
【００２１】
上記５本の噴射管（２）は、床面に平行な略水平であって同一平面となるように支持体（４）上に固着・支持される。
【００２２】
上記支持体（４）は、噴射管（２）の下に固着される。なお、支持体（４）は、噴射管（２）の上に固着されていてもよい。
【００２３】
上記ハンドル（５）は、支持体（４）の下面に固着されている。なお、ハンドル（５）は、支持体（４）の前方又は後方側面に固着されていてもよい。
【００２４】
図２は、本発明の洗浄装置（７）を、ローリフトトラック（８）（図２Ａ参照）のフォーク下に配置したときの斜視図である。
【００２５】
上記支持体（４）は、本発明の洗浄装置（７）を、ローリフトトラック（８）のフォーク下に配置したときに、ローリフトトラックの車輪（１０）が邪魔になるので、かかる車輪（１０）を避けるために、支持体（４）の一部が分断されている。そして、分断された支持体（４）同士が連結されるように、ヨの字形状のハンドル（５）が支持体（４）に固着されている。
【００２６】
噴射管（２）の両端の幅は、２本のフォーク（９）内側の幅（内幅）よりも長く、かつ２本のフォーク（９）外側の幅（外幅）よりも短いため、本発明の洗浄装置（７）を、ローリフトトラック（８）のフォーク下に配置したときに、各噴射管（２）の両端に立設されている噴射ノズル（１）は、それぞれ２本のフォーク（９）下に位置する。なお、噴射ノズル（１）は、フォーク（９）下面から約１５ｃｍ下に位置する。
【００２７】
上記洗浄液導入口（６）から導入した洗浄液は、連結管（３）や噴射管（２）を通ってすべての噴射ノズル（１）に供給され、フォーク（９）下面に噴射される。
【００２８】
ローリフトトラックのフォーク（９）下に配置した本発明の洗浄装置（７）を、前後左右方向に移動させることにより、或いは、ローリフトトラック（８）を前後左右方向に移動させることにより、幅の広いフォーク（９）下面をより効果的に洗浄することができる。
【産業上の利用可能性】
【００２９】
本発明の洗浄装置は、食品の製造現場において好適に用いることができる。
【符号の説明】
【００３０】
１    噴射ノズル
２    噴射管
３    連結管
４    支持体
５    ハンドル
６    洗浄液導入口
７    ローリフトトラックのフォーク下面洗浄装置
８    ローリフトトラック
９    ローリフトトラックのフォーク
１０  ローリフトトラックの車輪
【図１】
2017000979.tif 000003
【図２】
2017000979.tif 000004